(57)【要約】【課題】本発明は、複数枚の印刷物における特定画像位置を正確に指示する。【解決手段】画像検査装置３は、印刷装置２で、画像データに基づいて画像が印刷されて順次重ねて載置される複数枚の印刷物の画像を、画像読取部３６で、読み取って検査画像データを取得する。画像検査装置３は、検査部３７が、外部Ｉ／Ｆ３４が印刷装置２から取得した検査画像データの元画像データと、該検査画像データを比較して、検査画像データにおける特定画像を検出する。ＣＰＵ３１は、検査部３７の検出結果と画像情報に基づいて、特定画像の印刷物における位置情報を特定位置情報として取得し、該特定位置情報及び前記画像情報に基づいて、第１選別部３ａの作業台５１上に重ねて載置された印刷物から特定印刷物の載置位置を求めて、高さ測定／指示部５２に、該特定印刷物の載置位置を指示させる。【選択図】          図１
2015125342.tif 000002
【特許請求の範囲】
【請求項１】
画像データに基づいて画像が印刷されて順次重ねて載置される複数枚の印刷物の画像を読み取って検査画像データを取得する検査画像データ取得手段と、
前記検査画像データの元となっている元画像データ及び該元画像データに関連する画像情報を取得する画像情報取得手段と、
前記検査画像データを該検査画像データの前記元画像データと比較して、該検査画像データにおける特定画像を検出する特定画像検出手段と、
前記特定画像検出手段の検出結果と前記画像情報に基づいて、前記特定画像の前記印刷物における位置情報を特定位置情報として取得する位置情報取得手段と、
重ねて載置されている前記印刷物における各印刷物の印刷物位置情報を取得する印刷物位置情報取得手段と、
前記特定位置情報及び前記印刷物位置情報に基づいて、重ねて載置されている前記印刷物における前記特定画像の存在する特定印刷物の載置位置を求める特定載置位置取得手段と、
前記特定印刷物の載置位置を、重ねて載置されている前記印刷物に対して指示する載置位置指示手段と、
を備えていることを特徴とする画像検査装置。
【請求項２】
前記画像検査装置は、
前記載置位置指示手段の指示する前記特定印刷物の載置位置よりも下の位置から上方の前記印刷物を分割印刷物として他の印刷物から分割し、該分割印刷物のうち少なくとも前記特定印刷物を含む所定枚数の分割印刷物を、画像面が同じ方向に向き該画像面を確認可能な状態で展開させる分離・展開手段と、
前記特定位置情報及び前記画像情報に基づいて、展開されている前記分割印刷物から前記特定印刷物を特定するとともに、該特定印刷物の前記特定画像を特定する特定手段と、
展開されている前記分割印刷物における前記特定手段の特定する前記特定印刷物及び前記特定画像を指示する指示手段と、
をさらに備えていることを特徴とする請求項１記載の画像検査装置。
【請求項３】
前記特定手段は、
展開されている前記分割印刷物を撮像して撮像画像を出力する撮像手段と、
前記撮像手段の出力する前記撮像画像、前記特定位置情報及び前記画像情報に基づいて、前記特定印刷物及び該特定印刷物上の前記特定画像を特定する画像特定手段と、
を備えていることを特徴とする請求項１または請求項２記載の画像検査装置。
【請求項４】
前記印刷物位置情報取得手段は、
重ねて載置されている前記印刷物の高さと該印刷物の重さを検出する印刷物検出手段と、
前記印刷物の高さと重さに基づいて前記印刷物位置情報を算出する位置情報算出手段と、
を備えていることを特徴とする請求項１から請求項３のいずれかに記載の画像検査装置。
【請求項５】
前記位置指示手段は、
前記特定印刷物の載置位置に指示光を投射して該載置位置を指示することを特徴とする請求項１から請求項４のいずれかに記載の画像検査装置。
【請求項６】
前記指示手段は、
前記特定印刷物及び前記特定画像に指示光を投射して、該特定印刷物及び該特定画像を指示することを特徴とする請求項２から請求項５のいずれかに記載の画像検査装置。
【請求項７】
前記特定画像は、
前記印刷物に現れた欠陥画像であることを特徴とする請求項１から請求項６のいずれかに記載の画像検査装置。
【請求項８】
印刷装置において画像データに基づいて画像が印刷される複数枚の印刷物に対して、画像検査装置において画像検査を行う画像検査システムであって、
前記印刷装置で画像が印刷されて順次重ねて載置される複数枚の前記印刷物の画像を読み取って検査画像データを取得する検査画像データ取得手段と、
前記検査画像データの元となっている元画像データ及び該元画像データに関連する画像情報を取得する画像情報取得手段と、
前記検査画像データを該検査画像データの前記元画像データと比較して、該検査画像データにおける特定画像を検出する特定画像検出手段と、
前記特定画像検出手段の検出結果と前記画像情報に基づいて、前記特定画像の前記印刷物における位置情報を特定位置情報として取得する位置情報取得手段と、
重ねて載置されている前記印刷物における各印刷物の印刷物位置情報を取得する印刷物位置情報取得手段と、
前記特定位置情報及び前記印刷物位置情報に基づいて、重ねて載置されている前記印刷物における前記特定画像の存在する特定印刷物の載置位置を求める特定載置位置取得手段と、
前記特定印刷物の載置位置を、重ねて載置されている前記印刷物に対して指示する載置位置指示手段と、
を備えていることを特徴とする画像検査システム。
【請求項９】
前記画像検査システムは、
前記載置位置指示手段の指示する前記特定印刷物の載置位置よりも下の位置から上方の前記印刷物を分割印刷物として他の印刷物から分割し、該分割印刷物のうち少なくとも前記特定印刷物を含む所定枚数の分割印刷物を、画像面が同じ方向に向き該画像面を確認可能な状態で展開させる分離・展開手段と、
前記特定位置情報及び前記画像情報に基づいて、展開されている前記分割印刷物から前記特定印刷物を特定するとともに、該特定印刷物の前記特定画像を特定する特定手段と、
展開されている前記分割印刷物における前記特定手段の特定する前記特定印刷物及び前記特定画像を指示する指示手段と、
をさらに備えていることを特徴とする請求項８記載の画像検査システム。
【請求項１０】
画像データに基づいて画像が印刷されて順次重ねて載置される複数枚の印刷物の画像を読み取って検査画像データを取得する検査画像データ取得処理ステップと、
前記検査画像データの元となっている元画像データ及び該元画像データに関連する画像情報を取得する画像情報取得処理ステップと、
前記検査画像データを該検査画像データの前記元画像データと比較して、該検査画像データにおける特定画像を検出する特定画像検出処理ステップと、
前記特定画像検出処理ステップでの検出結果と前記画像情報に基づいて、前記特定画像の前記印刷物における位置情報を特定位置情報として取得する位置情報取得処理ステップと、
重ねて載置されている前記印刷物における各印刷物の印刷物位置情報を取得する印刷物位置情報取得処理ステップと、
前記特定位置情報及び前記印刷物位置情報に基づいて、重ねて載置されている前記印刷物における前記特定画像の存在する特定印刷物の載置位置を求める特定載置位置取得処理ステップと、
前記特定印刷物の載置位置を、重ねて載置されている前記印刷物に対して指示する載置位置指示処理ステップと、
を有していることを特徴とする画像検査方法。
【請求項１１】
制御プロセッサに、
画像データに基づいて画像が印刷されて順次重ねて載置される複数枚の印刷物の画像を読み取って検査画像データを取得する検査画像データ取得処理と、
前記検査画像データの元となっている元画像データ及び該元画像データに関連する画像情報を取得する画像情報取得処理と、
前記検査画像データを該検査画像データの前記元画像データと比較して、該検査画像データにおける特定画像を検出する特定画像検出処理と、
前記特定画像検出処理での検出結果と前記画像情報に基づいて、前記特定画像の前記印刷物における位置情報を特定位置情報として取得する位置情報取得処理と、
重ねて載置されている前記印刷物における各印刷物の印刷物位置情報を取得する印刷物位置情報取得処理と、
前記特定位置情報及び前記印刷物位置情報に基づいて、重ねて載置されている前記印刷物における前記特定画像の存在する特定印刷物の載置位置を求める特定載置位置取得処理と、
前記特定印刷物の載置位置を、重ねて載置されている前記印刷物に対して指示する載置位置指示処理と、
を実行させることを特徴とする画像検査プログラム。
【発明の詳細な説明】
【技術分野】
【０００１】
本発明は、画像検査装置、画像検査システム、画像検査方法及び画像検査プログラムに関し、詳細には、複数枚の印刷物における特定画像位置を正確に指示する画像検査装置、画像検査システム、画像検査方法及び画像検査プログラムに関する。
【背景技術】
【０００２】
プリンタ装置、複合装置、プロダクトプリンタ装置等の画像形成装置は、画像データに基づいて、用紙、フィルム等の被記録媒体に画像を記録出力する。画像形成装置は、画像の記録出力において、ドット抜け、色ムラ等の欠陥画像が発生することがある。
【０００３】
そして、高品質の画像記録が要求されるプロダクションプリンティグにおいては、特に、欠陥画像のない画像記録が要望される。
【０００４】
そこで、従来から、画像記録に用いた元画像データと、被記録媒体に記録出力された記録画像を読み取った読取画像データと、を比較して、記録画像における欠陥画像の有無を検査する技術が提案されている（特許文献１参照）。そして、この従来技術では、欠陥画像のない被記録媒体を排出する正規記録媒体排出部と、欠陥画像のある被記録媒体を排出する異常記録媒体排出部と、を設けて欠陥画像の有無に基づいて画像の記録された被記録媒体の排出先を正規排出部と異常排出部とで切り替えることが開示されている。すなわち、欠陥画像ありとされた異常被記録媒体を、異常排出部へ、欠陥画像なしとされた正規被記録媒体を、正規排出部へ振り分けて排出している。
【発明の概要】
【発明が解決しようとする課題】
【０００５】
しかしながら、上記公報記載の従来技術にあっては、欠陥画像ありとされた異常被記録媒体と欠陥画像なしとされた正規被記録媒体を、異常排出部と正規排出部とに振り分けて排出している。したがって、検査において欠陥画像ありとして異常排出部へ排出された被記録媒体の記録画像をユーザが目視確認して正常と判断した場合、正規排出部に排出された正規被記録媒体の中から、正常と判断した被記録媒体のページ位置を探し出して挿入する必要があり、作業性が悪いという問題があった。また、この場合、例えば、異常被記録媒体にテープを付ける等の物理的な区別処理を施し、正規被記録媒体と異常被記録媒体を同じ排出部に排出することも考えられる。ところが、物理的な区別処理を施すと、被記録媒体に少なからず物理的ダメージを与えるため、異常被記録媒体に対してユーザが目視確認で正常と判断しても、正規被記録媒体として利用することができなくなるおそれがある。
【０００６】
そこで、本発明は、複数枚の印刷物に記録されている画像のうち、特定の画像の画像位置を、印刷物を容易に再利用可能な状態で明示することを目的としている。
【課題を解決するための手段】
【０００７】
上記目的を達成するために、請求項１記載の画像検査装置は、画像データに基づいて画像が印刷されて順次重ねて載置される複数枚の印刷物の画像を読み取って検査画像データを取得する検査画像データ取得手段と、前記検査画像データの元となっている元画像データ及び該元画像データに関連する画像情報を取得する画像情報取得手段と、前記検査画像データを該検査画像データの前記元画像データと比較して、該検査画像データにおける特定画像を検出する特定画像検出手段と、前記特定画像検出手段の検出結果と前記画像情報に基づいて、前記特定画像の前記印刷物における位置情報を特定位置情報として取得する位置情報取得手段と、重ねて載置されている前記印刷物における各印刷物の印刷物位置情報を取得する印刷物位置情報取得手段と、前記特定位置情報及び前記印刷物位置情報に基づいて、重ねて載置されている前記印刷物における前記特定画像の存在する特定印刷物の載置位置を求める特定載置位置取得手段と、前記特定印刷物の載置位置を、重ねて載置されている前記印刷物に対して指示する載置位置指示手段と、を備えていることを特徴としている。
【発明の効果】
【０００８】
本発明によれば、複数枚の印刷物に記録されている画像のうち、特定の画像の画像位置を、印刷物を容易に再利用可能な状態で明示することができる。
【図面の簡単な説明】
【０００９】
【図１】本発明の一実施例を適用した画像形成システムの概略構成図。
【図２】画像形成システムの各装置のブロック構成図。
【図３】特定印刷物位置取得処理を示すフローチャート。
【図４】印刷物の分割と分割された各印刷物の重さと枚数の関係を示す図。
【図５】特定印刷物指示処理を示すフローチャート。
【図６】特定印刷物指示の説明図。
【図７】特定画像位置指示処理を示すフローチャート。
【図８】特定画像指示の説明図。
【発明を実施するための形態】
【００１０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１１】
図１〜図８は、本発明の画像検査装置、画像検査システム、画像検査方法及び画像検査プログラムの一実施例を示す図であり、図１は、本発明の画像検査装置、画像検査システム、画像検査方法及び画像検査プログラムの一実施例を適用した画像形成システム１の概略構成図である。
【００１２】
図１において、画像形成システム１は、印刷装置２、画像検査装置３及びフィニッシャ４等を備えており、画像検査装置３は、第１選別部３ａと第２選別部３ｂを備えている。この画像形成システム１は、印刷された画像を検査する画像検査システムとしても機能している。
【００１３】
印刷装置２は、画像データに基づいて用紙、フィルム等の被記録媒体（以下、単に、用紙という。）に、インク吐出方式、電子写真方式等の適宜の印刷方式で画像を印刷して印刷物として出力する。印刷装置２は、印刷した印刷物を１枚ずつ画像検査装置３へ排出する。また、印刷装置２は、印刷に使用した画像データ（以下、適宜、元画像データという。）及び該元画像データに関する画像情報（例えば、ページ数、画像サイズ、用紙種類、画像解像度等）を画像検査装置３へ出力する。
【００１４】
画像検査装置３は、印刷装置２から送り込まれてくる印刷物の画像を１枚ずつ読み取って、印刷装置２から送られてくる画像データと比較し、例えば、欠陥画像等の特定画像Ｇｔ（図８参照）の有無を検査して、フィニッシャ４に順次重ねて載置する。画像検査装置３は、特定画像Ｇｔの存在する印刷物があると、該特定画像Ｇｔの印刷物における位置情報を特定位置情報として取得し、取得した該特定位置情報及び上記画像情報を、第１選別部３ａ及び第２選別部３ｂへ出力する。画像検査装置３は、後述するように、第１選別部３ａ及び第２選別部３ｂを使用して、重ねて載置された印刷物Ｐから特定画像Ｇｔの存在する特定印刷物Ｐｔの載置位置を求めて指示し、また、該特定印刷物Ｐｔの該特定画像Ｇｔを指示する。
【００１５】
フィニッシャ４は、画像検査装置３で検査が完了した印刷物が送り込まれ、順次重ねて図示しない未処理排紙トレイに載置される。フィニッシャ４は、印刷物に対して、最終的に、指定された後処理、例えば、ステープル処理やパンチ処理等を施して排紙トレイ上に排出する。
【００１６】
そして、上記印刷装置２、画像検査装置３及びフィニッシャ４は、図２に示すようにブロック構成されている。
【００１７】
印刷装置２は、バス２０、ＣＰＵ（Central Processing Unit ）２１、ＲＯＭ（Read Only Memory）２２、ＲＡＭ（Random Access Memory）２３、操作パネル２４、用紙搬送／排出部２５、エンジン部２６、画像処理部２７、通信Ｉ／Ｆ（インターフェイス）２８、外部Ｉ／Ｆ２９等を備えており、各部は、上記バス２０によって接続されている。
【００１８】
ＲＯＭ２２は、印刷装置２としての基本プログラム及び必要なシステムデータを記憶しており、ＣＰＵ２１は、ＲＯＭ２２内のプログラムに基づいてＲＡＭ２３をワークメモリとして利用して印刷装置２の各部を制御して、印刷装置２としての処理を実行する。
【００１９】
操作パネル２４は、各種操作キー及び表示部等を備えており、操作キーからは、印刷装置２に動作させる各種命令が入力操作される。ＣＰＵ２１は、操作パネル２４の操作に応じた動作処理を行う。
【００２０】
用紙搬送／排出部２５は、複数枚の用紙が収納される給紙部から１枚ずつ用紙をエンジン部２６へ送り込み、エンジン部２６で画像の形成された用紙（以下、印刷物という。）を画像検査装置３へ順次搬送する。
【００２１】
エンジン部２６は、画像データからエンジン部２６で利用可能な形式に変換された描画データ（ビットマップデータ）及び制御信号により、電子写真方式、インク吐出方式等の画像形成方式で画像形成（印字処理）を行う。すなわち、エンジン部２６は、電子写真方式で画像形成を行う場合、図示しないが、電子写真方式で用紙に描画データに基づいて画像を記録出力するのに必要な部品、例えば、感光体、帯電部、光書込部、現像部、除電部及びクリーニング部等を備えている。エンジン部２６は、描画データ及び制御信号により光書込部を動作させて、帯電部によって一様に帯電されている感光体上に静電潜像を形成し、現像部によりトナーを感光体上に供給して現像してトナー画像を形成する。エンジン部２６は、用紙搬送／排出部２５によって用紙が、感光体と転写部との間に給紙されてくると、感光体上のトナー画像を用紙に転写させ、トナー画像の転写された用紙を定着部に搬送して、定着部で加熱・加圧して用紙上のトナー画像を定着させることで、画像を形成する。
【００２２】
画像処理部２７は、ＣＰＵ２１の制御下で、ＲＡＭ２３を使用して、画像データに対して必要な画像処理を施す。特に、画像処理部２７は、画像データをエンジン部２６が処理可能なデータ形式に変換、例えば、ビットマップの描画データに変換して、ＲＡＭ２３に展開する。
【００２３】
通信Ｉ／Ｆ２８は、専用線またはネットワークを介してコンピュータ等のホスト装置に接続され、ホスト装置から印刷対象の画像データ及び印刷設定情報を受信し、また、印刷結果等をホスト装置に送信する。
【００２４】
外部Ｉ／Ｆ２９は、専用線等の通信線によって画像検査装置３に接続され、上記印刷に用いた画像データ（以下、適宜、元画像データという。）及び印刷設定情報等の画像情報を画像検査装置３へ出力する。
【００２５】
画像検査装置３は、ＣＰＵ３１、ＲＯＭ３２、ＲＡＭ３３、外部Ｉ／Ｆ３４、用紙搬送／排出部３５、画像読取部３６、検査部３７、操作パネル３８、外部Ｉ／Ｆ３９、選別部Ｉ／Ｆ４０及び上記第１選別部３ａと第２選別部３ｂ等を備えている。第１選別部３ａ及び第２選別部３ｂ以外の上記各部は、バス４１によって接続されている。
【００２６】
ＲＯＭ３２は、画像検査装置３としての基本プログラム、本発明の画像検査プログラム及び必要なシステムデータを記憶している。ＣＰＵ３１は、ＲＯＭ３２内のプログラムに基づいて、ＲＡＭ３３をワークメモリとして利用して、画像検査装置３の各部を制御して、検査装置としての基本処理を実行するとともに、本発明の画像検査方法を実行する。
【００２７】
すなわち、画像検査装置３は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像検査方法を実行する画像検査プログラムを読み込んでＲＯＭ３２に導入することで、後述する複数枚の用紙（被記録媒体）に記録されている画像のうち、特定画像Ｇｔの記録位置を、印刷物を容易に再利用可能な状態で明示する画像検査方法を実行する画像検査装置として構築されている。この画像検査プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００２８】
ＣＰＵ３１は、後述するように、位置情報取得手段、特定載置位置取得手段、画像特定手段、位置情報算出手段として機能している。
【００２９】
外部Ｉ／Ｆ（画像情報取得手段）３４は、専用線等の通信線によって印刷装置２に接続され、上記元画像データ及び印刷設定情報等の画像情報を印刷装置２から受信（取得）する。すなわち、外部Ｉ／Ｆ３４は、検査画像データの元となっている元画像データ及び該元画像データに関連する画像情報を印刷装置２から取得する。
【００３０】
用紙搬送／排出部３５は、印刷装置２から送り出される印刷済みの用紙（印刷物）を受け取って、画像読取部３６へ搬送し、また、画像読取部３６で画像の読み取られた用紙をフィニッシャ４へ搬送する。
【００３１】
画像読取部（検査画像データ取得手段）３６は、例えば、ＣＣＤ（Charge Coupled Device ）やＣＭＯＳ（Complementary Metal Oxide Semiconductor ）を利用したイメージスキャナ等が利用されている。画像読取部３６は、用紙搬送／排出部３５によって１枚ずつフィニッシャ４へ搬送される用紙を検査対象印刷物として該検査対象印刷物を走査して、該検査対象印刷物の画像を所定の解像度で読み取って、２値化して検査画像データとして検査部３７へ出力する。
【００３２】
検査部（特定画像検査手段）３７は、ＣＰＵ３１の制御下で、印刷装置２から送られてきた元画像データが入力されるとともに、画像読取部３６から検査画像データが入力される。検査部３７は、元画像データと検査画像データを比較し、検査画像データにおける特定画像Ｇｔ（例えば、ドット抜け、色ムラ等の欠陥画像）の有無を検出して、検出結果をＣＰＵ３１へ出力する。ＣＰＵ３１は、検査部３７の検出結果と前記画像情報に基づいて、特定画像Ｇｔの印刷物における位置情報を特定位置情報として取得し、位置情報取得手段として機能している。
【００３３】
操作パネル３８は、各種操作キー及び表示部等を備えており、操作キーからは、画像検査装置３に動作させる各種命令が入力操作される。ＣＰＵ３１は、操作パネル３８の操作に応じた動作処理を行う。
【００３４】
外部Ｉ／Ｆ３９は、専用線等の通信線によってフィニッシャ４に接続され、ＣＰＵ３１の制御下で、印刷設定情報のうち、後処理に関する後処理情報及び画像検査結果情報をフィニッシャ４へ出力する。
【００３５】
選択部Ｉ／Ｆ４０は、バス４１に接続されているとともに、第１選別部３ａ及び第２選別部３ｂに接続されている。選択Ｉ／Ｆ４０は、ＣＰＵ３１からの第１選別部３ａ及び第２選別部３ｂの動作制御信号を出力し、また、第１選別部３ａ及び第２選別部３ｂの検出信号を受け取ってＣＰＵ３１に渡す。
【００３６】
第１選別部３ａは、図１及び図２に示すように、作業台５１及び高さ測定／指示部５２等を備えており、第２選別部３ｂは、作業台５３、カメラ５４及び指示部５５等を備えている。
【００３７】
第１選別部３ａの作業台５１は、水平のテーブル形状に形成されており、重さセンサを備えている。作業台５１は、フィニッシャ４に排出されて積み重ねられた複数枚の印刷物Ｐが、ユーザによって載置され、載置された印刷物Ｐの重さを測定して、測定結果の重さをＣＰＵ３１に出力する。
【００３８】
第１選別部３ａの高さ測定／指示部（載置位置指示手段）５２は、例えば、反射式光センサを用いた高さ測定ユニット及び発光素子、レンズ等を備えたレーザポインタ等の光投射ユニット等が用いられている。高さ測定／指示部５２は、ＣＰＵ３１の制御下で、高さ測定ユニットによって、作業台５１上に載置されている印刷物Ｐの高さを測定し、測定した高さをＣＰＵ３１へ出力する。また、高さ測定／指示部５２は、ＣＰＵ３１の制御下で、光投射ユニットによって、作業台５１上に載置されている印刷物Ｐのうち、特定画像Ｇｔ（図８参照）の存在する特定印刷物Ｐｔの載置位置へ指示光を照射する。上記作業台５１及び高さ測定／指示部５２は、全体として、作業台５１上に重ねて載置されている印刷物Ｐの高さと該印刷物Ｐの重さを検出する印刷物検出手段として機能している。また、作業台５１、高さ測定／指示部５２及びＣＰＵ３１は、全体として、重ねて載置されている印刷物Ｐにおける各印刷物Ｐの印刷物位置情報を取得する印刷物位置情報取得手段として機能している。さらに、ＣＰＵ３１は、上記特定位置情報及び上記印刷物位置情報に基づいて、重ねて載置されている印刷物Ｐにおける前記特定画像Ｇｔの存在する特定印刷物Ｐｔの載置位置を求める特定載置位置取得手段として機能している。
【００３９】
第２選別部３ｂの作業台５３は、水平のテーブル形状に形成されている。作業台５３は、第１選別部３ａの高さ測定／指示部５２から指示光の照射された位置の印刷物（特定印刷物Ｐｔ）を含み、該特定印刷物Ｐｔよりも適宜の枚数だけ下側の印刷物から上の全ての印刷物がユーザによって分割されて、分割印刷物Ｐａとして載置される。また、作業台５３は、ユーザによって、上記分割印刷物Ｐａのうち、少なくとも前記特定印刷物Ｐｔを含む所定枚数の印刷物が、図１に示すように、所定量が重なるとともに位置ずれした状態で展開されて載置される。すなわち、分割印刷物Ｐａは、画像面が全て同じ上側に向き、該画像面を確認可能な状態で展開される。ユーザは、この分割印刷物Ｐａの画像面が全て同じ上側に向き該画像面を確認可能な状態での展開を、ＣＰＵ３１の制御下での操作パネル３８への分割印刷物Ｐａの作業台５３への展開を促すメッセージの表示に基づいて行う。したがって、ＣＰＵ３１及び操作パネル３８は、全体として、高さ測定／指示部５２の指示する特定印刷物Ｐｔの載置位置よりも下の位置から上方の印刷物Ｐを分割印刷物Ｐａとして他の印刷物Ｐから分割し、該分割印刷物Ｐａのうち少なくとも特定印刷物Ｐｔを含む所定枚数の分割印刷物Ｐａを、画像面が同じ方向に向き該画像面を確認可能な状態で展開させる分離・展開手段として機能している。
【００４０】
第２選別部３ｂのカメラ（撮像手段）５４は、少なくとも作業台５３上に展開された分割印刷物Ｐａのエッジ及び画像を検出可能なカメラが用いられ、該分割印刷物Ｐａを撮影して、撮影映像をＣＰＵ３１へ出力する。
【００４１】
ＣＰＵ３１は、カメラ５４から送られてきた撮像映像と上記印刷物Ｐの元画像データの画像情報に基づいて、該分割印刷物Ｐａのうち特定印刷物Ｐｔを決定し、該特定印刷部Ｐｔを示す特定印刷物情報を第２選別部３ｂへ出力する。
【００４２】
第２選別部３ｂの指示部（指示手段）５５は、例えば、発光素子、レンズ等を備えたレーザポインタ等の光投射ユニット等が用いられており、ＣＰＵ３１からの特定印刷物情報に基づいて、作業台５３上に展開して載置されている分割印刷物Ｐａのうち、特定印刷物Ｐｔの載置位置へ指示光を照射する。なお、図１において、ハッチング部分が、高さ測定／指示部５２及び指示部５５から出射された指示光の照射位置を示している。
【００４３】
また、第２選別部３ｂは、上記指示部５５によって特定印刷物Ｐｔが指示されることで、ユーザが、該特定印刷物Ｐｔのみを、作業台５３上に、画像面をカメラ５４及び指示部５５側にして載置する。第２選別部３ｂは、作業台５３上に特定印刷物Ｐｔが載置されると、カメラ５４が、該特定印刷物Ｐｔを撮影して、撮影映像をＣＰＵ３１へ出力する。ＣＰＵは、カメラ５４から送られてきた撮像映像と特定画像Ｇｔに基づいて、特定印刷物Ｐｔにおける特定画像Ｇｔの位置を特定して、特定画像位置情報を第２選別部３ｂへ出力する。このカメラ５４及びＣＰＵ３１は、後述するように、全体として、前記特定位置情報及び前記画像情報に基づいて、作業台５３上に展開されている分割印刷物Ｐａのうち特定印刷物Ｐｔを特定するとともに、該特定印刷物Ｐｔの特定画像Ｇｔを特定する特定手段として機能している。
【００４４】
第２選別部３ｂの指示部５５は、ＣＰＵ３１からの特定画像位置情報に基づいて、作業台５３上に載置されている特定印刷物Ｐｔの特定画像Ｇｔへ指示光Ｐｐ（図８参照）を照射する。
【００４５】
フィニッシャ４は、ＣＰＵ６１、ＲＯＭ６２、ＲＡＭ６３、外部Ｉ／Ｆ６４、用紙搬送／排出部６５及び後処理部６６等を備えており、各部は、バス６７によって接続されている。
【００４６】
ＲＯＭ６２は、フィニッシャとしての基本プログラム及び必要なシステムデータを記憶している。ＣＰＵ６１は、ＲＯＭ６２内のプログラムに基づいて、ＲＡＭ６３をワークメモリとして利用して、フィニッシャ４の各部を制御して、フィニッシャ４としての基本処理を実行する。
【００４７】
外部Ｉ／Ｆ６４は、専用線等の通信線によって画像検査装置３に接続され、印刷装置２から画像検査装置３を介して送られてくる後処理情報を受信してＣＰＵ６１に渡すとともに、画像検査装置３から送られてくる画像検査結果情報を受け取ってＣＰＵ６１に渡す。
【００４８】
用紙搬送／排出部６５は、ＣＰＵ６１の制御下で操作して、画像検査装置３から送られてきた印刷物を後処理部６６または図示しない排紙トレイへ搬送する。
【００４９】
後処理部６６は、用紙搬送／排出部６５によって搬送されてくる複数枚の印刷物に対して、ＣＰＵ６１の制御下で、ステープル処理、パンチ処理、折り処理等の後処理を施す。用紙搬送／排出部６５は、後処理部６６で後処理された印刷物束（用紙束）を排紙トレイ上に搬送・排出する。
【００５０】
ＣＰＵ６１は、印刷装置２からの後処理情報と画像検査装置３からの画像検査結果情報に基づいて、後処理の要否と後処理の処理タイミングを判断して、用紙搬送／排出部６５及び後処理部６６の動作制御を行う。
【００５１】
次に、本実施例の作用を説明する。本実施例の画像形成システム１は、複数枚の用紙に記録されている画像のうち、特定の画像の記録位置を、印刷物を容易に再利用可能な状態で明示する。
【００５２】
画像形成システム１は、印刷装置２が、ホスト装置から送られてくる印刷対象の画像データ及び印刷設定情報等に基づいて、エンジン部２６で所定の印刷方式で印刷した複数枚の印刷物を用紙搬送／排出部２５によって画像検査装置３へ順次搬送する。また、印刷装置２は、該印刷に用いた元画像データ及び印刷設定情報等の画像情報を、外部Ｉ／Ｆ２９から画像検査装置３の外部Ｉ／Ｆ３４へ送信し、画像検査装置３は、該元画像データ及び画像情報を一旦ＲＡＭ３３等に保管する。
【００５３】
画像検査装置３は、印刷装置２から画像の印刷されている印刷物が搬送されてくると、ＣＰＵ３１の制御下で、用紙搬送／排出部３５によって画像読取部３６に搬送し、画像読取部３６が該印刷物の画像を読み取って検査画像データとして検査部３７に渡す。検査部３７は、ＣＰＵ３１の制御下で、印刷装置２から送られてきた元画像データと検査画像データを比較し、特定画像Ｇｔの有無を検出して、検出結果をＣＰＵ３１へ出力する検査処理を行う。この特定画像Ｇｔは、予め設定された画像であってもよいし、ドット抜け、色ムラ等の欠陥画像等であってもよい。
【００５４】
画像検査装置３は、印刷装置２から搬送されてくる印刷物に対して、順次、上記検査処理を行って、検査処理を行った印刷物を、用紙搬送／排出部３５によってフィニッシャ４へ送り出す。また、画像検査装置３は、ＣＰＵ３１が、印刷設定情報のうち、後処理に関する後処理情報及び画像検査結果情報をフィニッシャ４へ出力する。
【００５５】
フィニッシャ４は、印刷装置２からの後処理情報と画像検査装置３からの画像検査結果情報に基づいて、後処理の要否と後処理の処理タイミングを判断して、用紙搬送／排出部６５及び後処理部６６の動作制御を行う。
【００５６】
そして、フィニッシャ４は、印刷装置２からの後処理情報が後処理要であっても、画像検査装置３からの画像検査結果情報が特定画像ありであると、後処理を行うことなく、画像検査装置３から搬送されてきた全ての印刷物を未処理排紙トレイ上に順次積み重ねて載置する。この場合、フィニッシャ４は、印刷面（画像形成面）を上に向けて、先頭ページが最下段になる状態で、順次積み重ねて未処理排紙トレイ上に印刷物を載置する。
【００５７】
そして、画像検査装置３は、印刷物に特定画像Ｇｔが存在したときには、その旨及び特定画像の存在した印刷物のページ番号等の特定印刷物に関する情報を操作パネル３８に表示出力してもよい。
【００５８】
フィニッシャ４は、画像検査装置３から印刷物に特定画像Ｇｔが存在した旨の通知があると、排紙トレイ上のすべての印刷物をそのまま第１選別部３ａの作業台５１上へ載置するように促すメッセージを操作パネル３８に表示してもよい。
【００５９】
また、フィニッシャ４は、画像検査装置３から特定画像Ｇｔが検出されなかった旨の通知があると、その印刷物については、速やかに指定の後処理を実行する。
【００６０】
ユーザは、特定画像Ｇｔの存在する特定印刷物Ｐｔが検出されると、フィニッシャ４の未処理排紙トレイ上に積み重ねて載置された全ての印刷物Ｐを、そのまま画像検査装置３の第１選別部３ａの作業台５１上に載置する。
【００６１】
画像検査装置３は、図３に示すように、第１選別部３ａの作業台５１に印刷物Ｐが載置されると（ステップＳ１０１）、ＣＰＵ３１が、第１識別部３ａに対して、作業台５１による全印刷物Ｐの重さの測定と高さ測定／指示部５２による高さの測定を行わせる（ステップＳ１０２）。
【００６２】
次に、ＣＰＵ３１は、全印刷物Ｐの重さと高さ及び印刷情報（特に、ページ数）と特定情報に基づいて、全印刷物Ｐにおける特定情報Ｇｔの存在する特定印刷物Ｐｔの該全印刷物Ｐの高さにおける高さ位置を決定する。ＣＰＵ３１は、特定印刷物Ｐｔの高さ位置を決定すると、第１選別部３ａの高さ測定／指示部５２に、全印刷物Ｐのなかで、特定印刷物Ｐｔのページの存在する載置位置（特定位置）へ指示光Ｐｐ（図１、図４等参照）を照射させて指示する（ステップＳ１０３）。
【００６３】
ＣＰＵ３１は、第１選別部３ａの作業台５１上から印刷物Ｐｔが分割されて特定印刷物Ｐｔを含む上側分割印刷物Ｐａが第２選別部３ｂへ載せられるのを待つ（ステップＳ１０４）。このとき、ＣＰＵ３１は、印刷物Ｐを、指示位置の特定印刷物Ｐｔのページを含む上側の印刷物Ｐａを全体の印刷物Ｐから分割して第１選別部３ｂの作業台５３へ載せるように促すメッセージを操作パネル３８に表示する等によって印刷物Ｐの分割・載置を促す。
【００６４】
ステップＳ１０４で、印刷物Ｐが分割されて第２選別部３ｂの作業台５３に分割印刷物Ｐａが載せられると、ＣＰＵ３１は、第１選別部３ａの作業台５１に残った印刷物Ｐの重さを、該作業台５１に測定させる（ステップＳ１０５）。
【００６５】
ＣＰＵ３１は、第１選別部３ａの作業台５１に残った特定印刷物Ｐｔの重さと印刷設定情報、特に、用紙種類（被記録媒体種類）に基づいて、作業台５１に残った特定印刷物Ｐｔの最上段のページ番号を算出する（ステップＳ１０６）。
【００６６】
すなわち、ＣＰＵ３１は、図４に示すように、分割される前の全体印刷物Ｐは、その重さが、Wg0、枚数がAll_num、１枚の印刷物Ｐの重さが、ngであるとすると、分割されて第１選別部３ａの作業台５１に残った印刷物Ｐの重さWg1、枚数num1及び第２選別部３ｂに載せられた印刷物Ｐａの重さWg2、枚数num2を、算出する。
【００６７】
すなわち、第１選別部３ａの作業台５１に残った印刷物は、Wg1＝ng×num1となり、図4に示すように枚数num1を求めることができる。また、第２選別部３ｂの作業台５３に載せられた印刷物Ｐａは、Wg2＝ng×num2となる。
【００６８】
次に、ＣＰＵ３１は、図５に示すように、上記作業台５１に残った印刷物Ｐの最上段のページ番号に基づいて、分割されて第２選別部３ｂの作業台５３に載せられる印刷物Ｐａの最下段のページ番号を算出する（ステップＳ２０１）。
【００６９】
ＣＰＵ２０２は、分割された印刷物Ｐａを第２選別部３ｂの作業台５３に展開して載せるように、その旨のメッセージを操作パネル３８に表示する等の方法で促す（ステップＳ２０２）。
【００７０】
ＣＰＵ２０３は、特定印刷物Ｐｔの分割印刷物Ｐａにおける最下段からのページ数を算出し、算出した特定印刷物Ｐｔの最下段からのページ数を、操作パネル３８に表示する等の方法で通知する（ステップＳ２０３）。
【００７１】
ユーザは、この特定印刷物Ｐｔの最下段からのページ数を参照して、分割印刷物Ｐａを、最下段の分割印刷物Ｐａから該特定印刷物Ｐｔを含むページ部分を、前後のページと重ならないように、図６に示すように、第２選別部３ｂの作業台５３上に展開する。
【００７２】
ＣＰＵ３１は、分割印刷物Ｐａが作業台５３上に展開されると、カメラ５４に該分割印刷物Ｐａを撮影させて、撮影映像を取得する（ステップＳ２０４）。
【００７３】
ＣＰＵ３１は、カメラ５４の撮影映像から分割印刷物Ｐａ部分を認識し（ステップＳ２０５）、展開されている分割印刷物Ｐａの各エッジ部分を抽出して、最下段の分割印刷物Ｐａから順次各分割印刷物Ｐａを認識する（ステップＳ２０６）。
【００７４】
ＣＰＵ３１は、認識した分割印刷物Ｐａの情報と特定印刷物Ｐａの最下段からのページ数の情報から、展開されている分割印刷物Ｐａにおける特定印刷物Ｐｔの位置を特定する。例えば、ＣＰＵ３１は、特定印刷物Ｐａが全印刷物Ｐの最下段（先頭）から何ページ目にあるかの情報と、分割されて第１選別部３ａに残された印刷物Ｐの最上段の印刷物Ｐのページ番号から、第２選別部３ｂの作業台５３に展開された分割印刷物Ｐａの最下段の分割印刷物Ｐａから何ページ目が特定印刷物Ｐｔであるかを算出する。具体的には、例えば、特定印刷物Ｐｔが、１５００ページ目で、総ページ数が３０００ページであって、第１選別部３ａに１４７０ページ残して分割印刷物Ｐａが、第２選別部３ｂの作業台５３に展開された場合、まず、ＣＰＵ３１は、作業台５３に展開されている分割印刷物Ｐａの先頭が、１４７０＋１ページ目であることを求める。次に、ＣＰＵ３１は、特定印刷物Ｐｔの位置として、１５００−１４７０を算出して、最下段の分割印刷物Ｐａから３０枚目（３０ページ目）であることを算出する。
【００７５】
ＣＰＵ３１は、特定印刷物Ｐａの位置を特定すると、図６に示すように、指示部５５がポイント光等の指示光Ｐｐを照射させることで、特定印刷物Ｐａを指示する（ステップＳ２０７）。
【００７６】
ユーザは、特定印刷物Ｐａが指示されると、該特定印刷物Ｐａのみを分割印刷物Ｐａから取り出して、作業台５３上に画像面を上側に向けて載置する。
【００７７】
ＣＰＵ３１は、特定印刷物Ｐａのみが作業台５３上に載置されると、図７に示すように、まず、特定画像情報を取得し（ステップＳ３０１）、作業台５３上に載置されている特定印刷物Ｐａの画像をカメラ５４に撮影させる（ステップＳ３０２）。
【００７８】
ＣＰＵ３１は、先に取得した特定画像Ｇｔとカメラ５４の撮影した画像の位置合わせを行い、撮影画像上における特定画像Ｇｔの位置を確認する（ステップＳ３０３）。
【００７９】
ＣＰＵ３１は、図８に示すように、特定画像Ｇｔの位置を指示部５５で特定印刷物Ｐａ上に、指示光Ｐｐを照射して、指示する（ステップＳ３０４）。
【００８０】
ユーザは、特定印刷物Ｐａに照射される指示光Ｐｐによって、特定画像Ｇｔの位置を確認することができる。また、ユーザは、特定画像Ｇｔの位置が指示されることで、特定画像Ｇｔが、例えば、欠陥画像等である場合に、欠陥印刷物として該特定印刷物Ｐａを処理する必要があるか、正常な正規印刷物として処理してもよいかを、速やかに判定することができる。
【００８１】
なお、上記説明では、画像読取部３６で読み取った印刷物を全てフィニッシャ４へ搬送して、画像検査結果に応じて、ユーザが、フィニッシャ４から第１選別部３ａの作業台５１上に載置している。作業台５１への印刷物の載置は、上記方法に限るものではない。例えば、画像検査装置３が画像読取部３６で画像を読み取った印刷物を、用紙搬送／排出部３５によって、一旦、全て第１選別部３ａの作業台５１へ重ねて載置してもよい。この場合、画像検査装置３は、全ての印刷物が特定画像Ｇｔを含まないときには、その印刷物を用紙搬送／排出部３５によってフィニッシャ４等の排出先に排出する。
【００８２】
なお、上記説明では、画像検査装置３に操作パネル３８を設けて、画像検査処理で必要な各種情報を表示させているが、他の表示部、例えば、印刷装置２の操作パネル２４を用いてもよい。
【００８３】
このように、本実施例の画像形成システム1は、その画像検査装置３が、画像データに基づいて画像が印刷されて順次重ねて載置される複数枚の印刷物の画像を読み取って検査画像データを取得する画像読取部（検査画像データ取得手段）３６と、前記検査画像データの元となっている元画像データ及び該元画像データに関連する画像情報を取得する外部Ｉ／Ｆ（画像情報取得手段）３４と、前記検査画像データを該検査画像データの前記元前記画像データと比較して、該検査画像データにおける特定画像Ｇｔを検出する検査部（特定画像検出手段）３７と、検査部３７の検出結果と前記画像情報に基づいて、前記特定画像Ｇｔの前記印刷物における位置情報を特定位置情報として取得するＣＰＵ（位置情報取得手段）と、重ねて載置されている前記印刷物における各印刷物の印刷物位置情報を取得する作業台５１、高さ測定／指示部５２及びＣＰＵ３１からなる印刷物位置情報取得手段と、前記特定位置情報及び前記印刷物位置情報に基づいて、重ねて載置されている印刷物Ｐにおける特定画像Ｇｔの存在する特定印刷物Ｐｔの載置位置を求めるＣＰＵ（特定載置位置取得手段）３１と、前記特定印刷物の載置位置を、重ねて載置されている前記印刷物Ｐに対して指示する高さ測定／指示部（載置位置指示手段）５２と、を備えている。
【００８４】
したがって、特定印刷物Ｐｔに物理的な区別処理を施すことなく、特定印刷物Ｐｔを、他の印刷物から分離することなく、指示することができ、複数枚の印刷物に記録されている画像のうち、特定の画像の画像位置を、印刷物を容易に再利用可能な状態で明示することができる。その結果、特定画像Ｇｔの存在する特定印刷物の再利用を行う場合にも、容易かつ作業性を向上させることができる。
【００８５】
また、本実施例の画像検査装置３は、前記載置位置指示手段である高さ測定／指示部５２の指示する前記特定印刷物Ｐｔの載置位置よりも下の位置から上方の前記印刷物Ｐを分割印刷物Ｐａとして他の印刷物から分割し、該分割印刷物Ｐａのうち少なくとも前記特定印刷物Ｐｔを含む所定枚数の分割印刷物Ｐａを、画像面が同じ方向に向き該画像面を確認可能な状態で展開させる分離・展開手段としてのＣＰＵ３１及び操作パネル３８と、前記特定位置情報及び前記画像情報に基づいて、展開されている前記分割印刷物Ｐａのうち前記特定印刷物Ｐｔを特定するとともに、該特定印刷物Ｐｔの前記特定画像Ｇｔを特定するＣＰＵ３１及びカメラ５４からなる特定手段と、展開されている前記分割印刷物Ｐａにおける前記特定手段としてのＣＰＵ３１の特定する前記特定印刷物Ｐｔ及び前記特定画像Ｇｔを指示する指示部（指示手段）５５と、をさらに備えている。
【００８６】
したがって、複数枚の印刷物に記録されている画像のうち、特定の画像の印刷されている特定印刷物Ｐｔの位置だけでなく、特定画像Ｇｔの位置を、印刷物を容易に再利用可能な状態で明示することができる。その結果、特定画像Ｇｔの存在する特定印刷物の再利用を行う場合にも、より一層容易かつ作業性を向上させることができる。
【００８７】
さらに、本実施例の画像検査装置３は、前記特定手段が、展開されている前記分割印刷物Ｐａを撮像して撮像画像を出力するカメラ（撮像手段）５４と、カメラ５４の出力する前記撮像画像、前記特定位置情報及び前記画像情報に基づいて、前記特定印刷物Ｐｔ及び該特定印刷物Ｐｔ上の前記特定画像Ｇｔを特定するＣＰＵ（画像特定手段）３１と、を備えている。
【００８８】
したがって、簡単かつ正確に、特定印刷物Ｐｔの載置位置、特定印刷物Ｐｔを特定することができ、より一層利用性、作業性を向上させることができる。
【００８９】
また、本実施例の画像検査装置３は、前記印刷物位置情報取得手段が、重ねて載置されている印刷物Ｐの高さと該印刷物Ｐの重さを検出する高さ測定／指示部５２及び作業台５１からなる印刷物検出手段と、前記印刷物Ｐの高さと重さに基づいて前記印刷物位置情報を算出するＣＰＵ（位置情報算出手段）３１と、を備えている。
【００９０】
したがって、特定印刷物Ｐｔの載置位置を正確に特定することができ、より一層利用性、作業性を向上させることができる。
【００９１】
さらに、本実施例の画像検査装置３は、前記位置指示手段である高さ測定／指示部５２が、前記特定印刷物Ｐｔの載置位置に指示光Ｐｐを投射して該載置位置を指示する。
【００９２】
したがって、特定印刷物Ｐｔに物理的な区別処理を施すことなく、容易に再利用可能な状態で、特定印刷物Ｐｔを他の印刷物から区別可能な状態にすることができる。
【００９３】
また、本実施例の画像検査装置３は、前記指示手段である指示部５５が、前記特定印刷物Ｐｔ及び前記特定画像Ｇｔに指示光Ｐｐを投射して、該特定印刷物Ｐｔ及び該特定画像Ｇｔを指示する。
【００９４】
したがって、特定印刷物Ｐｔに物理的な区別処理を施すことなく、容易に再利用可能な状態で、特定印刷物Ｐｔ及び特定画像Ｇｔを区別可能な状態にすることができる。
【００９５】
また、本実施例の画像検査装置３は、前記特定画像Ｇｔが、前記印刷物に現れた欠陥画像である。
【００９６】
したがって、複数枚の印刷物に記録されている画像のうち、欠陥画像を検出して、該欠陥画像の画像位置を、印刷物を容易に再利用可能な状態で明示することができる。その結果、欠陥画像の存在する特定印刷物の再利用を行う場合にも、作業性を向上させることができる。
【００９７】
さらに、本実施例の画像形成システム１は、印刷装置２において画像データに基づいて画像が印刷される複数枚の印刷物に対して、画像検査装置３において画像検査を行う画像検査システムであって、画像データに基づいて画像が印刷されて順次重ねて載置される複数枚の印刷物の画像を読み取って検査画像データを取得する画像読取部（検査画像データ取得手段）３６と、前記検査画像データの元となっている元画像データ及び該元画像データに関連する画像情報を取得する外部Ｉ／Ｆ（画像情報取得手段）３４と、前記検査画像データを該検査画像データの前記元前記画像データと比較して、該検査画像データにおける特定画像を検出する検査部（特定画像検出手段）３７と、検査部３７の検出結果と前記画像情報に基づいて、前記特定画像Ｇｔの前記印刷物における位置情報を特定位置情報として取得するＣＰＵ（位置情報取得手段）と、重ねて載置されている前記印刷物における各印刷物の印刷物位置情報を取得する作業台５１、高さ測定／指示部５２及びＣＰＵ３１からなる印刷物位置情報取得手段と、前記特定位置情報及び前記印刷物位置情報に基づいて、重ねて載置されている印刷物Ｐにおける特定画像Ｇｔの存在する特定印刷物Ｐｔの載置位置を求めるＣＰＵ（特定載置位置取得手段）３１と、前記特定印刷物の載置位置を、重ねて載置されている前記印刷物Ｐに対して指示する高さ測定／指示部（載置位置指示手段）５２と、を備えている。
【００９８】
したがって、特定印刷物Ｐｔに物理的な区別処理を施すことなく、特定印刷物Ｐｔを、他の印刷物から分離することなく、指示することができ、複数枚の印刷物に記録されている画像のうち、特定の画像の画像位置を、印刷物を容易に再利用可能な状態で明示することができる。その結果、特定画像Ｇｔの存在する特定印刷物の再利用を行う場合にも、容易かつ作業性を向上させることができる。
【００９９】
また、本実施例の画像検査システムである画像形成システム１は、前記載置位置指示手段である高さ測定／指示部５２の指示する前記特定印刷物Ｐｔの載置位置よりも下の位置から上方の前記印刷物Ｐを分割印刷物Ｐａとして他の印刷物から分割し、該分割印刷物Ｐａのうち少なくとも前記特定印刷物Ｐｔを含む所定枚数の分割印刷物Ｐａを、画像面が同じ方向に向き該画像面を確認可能な状態で展開させる分離・展開手段としてのＣＰＵ３１及び操作パネル３８と、前記特定位置情報及び前記画像情報に基づいて、展開されている前記分割印刷物Ｐａのうち前記特定印刷物Ｐｔを特定するとともに、該特定印刷物Ｐｔの前記特定画像Ｇｔを特定するＣＰＵ３１及びカメラ５４からなる特定手段と、展開されている前記分割印刷物Ｐａにおける前記特定手段としてのＣＰＵ３１の特定する前記特定印刷物Ｐｔ及び前記特定画像Ｇｔを指示する指示部（指示手段）５５と、をさらに備えている。
【０１００】
したがって、複数枚の印刷物に記録されている画像のうち、特定の画像の印刷されている特定印刷物Ｐｔの位置だけでなく、特定画像Ｇｔの位置を、印刷物を容易に再利用可能な状態で明示することができる。その結果、特定画像Ｇｔの存在する特定印刷物の再利用を行う場合にも、より一層容易かつ作業性を向上させることができる。
【０１０１】
さらに、本実施例の画像形成システム１は、画像データに基づいて画像が印刷されて順次重ねて載置される複数枚の印刷物の画像を読み取って検査画像データを取得する検査画像データ取得処理ステップと、前記検査画像データの元となっている元画像データ及び該元画像データに関連する画像情報を取得する画像情報取得処理ステップと、前記検査画像データを該検査画像データの前記元画像データと比較して、該検査画像データにおける特定画像Ｇｔを検出する特定画像検出処理ステップと、前記特定画像検出処理ステップでの検出結果と前記画像情報に基づいて、前記特定画像Ｇｔの前記印刷物における位置情報を特定位置情報として取得する位置情報取得処理ステップと、重ねて載置されている前記印刷物における各印刷物の印刷物位置情報を取得する印刷物位置情報取得処理ステップと、前記特定位置情報及び前記印刷物位置情報に基づいて、重ねて載置されている前記印刷物における前記特定画像Ｇｔの存在する特定印刷物の載置位置を求める特定載置位置取得処理ステップと、前記特定印刷物の載置位置を、重ねて載置されている前記印刷物に対して指示する載置位置指示処理ステップと、を有する画像検査方法を実行している。
【０１０２】
したがって、特定印刷物Ｐｔに物理的な区別処理を施すことなく、特定印刷物Ｐｔを、他の印刷物から分離することなく、指示することができ、複数枚の印刷物に記録されている画像のうち、特定の画像の画像位置を、印刷物を容易に再利用可能な状態で明示することができる。その結果、特定画像Ｇｔの存在する特定印刷物の再利用を行う場合にも、容易かつ作業性を向上させることができる。
【０１０３】
また、本実施例の画像形成システム１は、ＣＰＵ３１等の制御プロセッサに、画像データに基づいて画像が印刷されて順次重ねて載置される複数枚の印刷物の画像を読み取って検査画像データを取得する検査画像データ取得処理と、前記検査画像データの元となっている元画像データ及び該元画像データに関連する画像情報を取得する画像情報取得処理と、前記検査画像データを該検査画像データの前記元画像データと比較して、該検査画像データにおける特定画像Ｇｔを検出する特定画像検出処理と、前記特定画像検出処理での検出結果と前記画像情報に基づいて、前記特定画像Ｇｔの前記印刷物における位置情報を特定位置情報として取得する位置情報取得処理と、重ねて載置されている前記印刷物における各印刷物の印刷物位置情報を取得する印刷物位置情報取得処理と、前記特定位置情報及び前記印刷物位置情報に基づいて、重ねて載置されている前記印刷物における前記特定画像Ｇｔの存在する特定印刷物の載置位置を求める特定載置位置取得処理と、前記特定印刷物の載置位置を、重ねて載置されている前記印刷物に対して指示する載置位置指示処理と、を実行させる画像検査プログラムを搭載している。
【０１０４】
したがって、特定印刷物Ｐｔに物理的な区別処理を施すことなく、特定印刷物Ｐｔを、他の印刷物から分離することなく、指示することができ、複数枚の印刷物に記録されている画像のうち、特定画像Ｇｔの画像位置を、印刷物を容易に再利用可能な状態で明示することができる。その結果、特定画像Ｇｔの存在する特定印刷物の再利用を行う場合にも、容易かつ作業性を向上させることができる。
【０１０５】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１０６】
１  画像形成システム
２  印刷装置
３  画像検査装置
３ａ  １次選別部
３ｂ  第２選別部
４  フィニッシャ
２０  バス
２１  ＣＰＵ
２２  ＲＯＭ
２３  ＲＡＭ
２４  操作パネル
２５  用紙搬送／排出部
２６  エンジン部
２７  画像処理部
２８  通信Ｉ／Ｆ
２９  外部Ｉ／Ｆ
３１  ＣＰＵ
３２  ＲＯＭ
３３  ＲＡＭ
３４  外部Ｉ／Ｆ
３５  用紙搬送／排出部
３６  画像読取部
３７  検査部
３８  操作パネル
３９  外部Ｉ／Ｆ
４０  選別部Ｉ／Ｆ
４１  バス
５１  作業台
５２  高さ測定／指示部
５３  作業台
５４  カメラ
５５  指示部
６１  ＣＰＵ
６２  ＲＯＭ
６３  ＲＡＭ
６４  外部Ｉ／Ｆ
６５  用紙搬送／排出部
６６  後処理部
６７  バス
Ｐｔ  特定印刷物
Ｐａ  分割印刷物
Ｐ  印刷物
Ｇｔ  特定情報
【先行技術文献】
【特許文献】
【０１０７】
【特許文献１】特開２０１０−６６５１６号公報
【図１】
2015125342.tif 000003
【図２】
2015125342.tif 000004
【図３】
2015125342.tif 000005
【図４】
2015125342.tif 000006
【図５】
2015125342.tif 000007
【図６】
2015125342.tif 000008
【図７】
2015125342.tif 000009
【図８】
2015125342.tif 000010